(57)【要約】【課題】楽器を肩に掛けた状態でストラップベルトの長さを調節することのできる楽器用ストラップ及びストラップベルトの長さ調節方法を提供することにある。【解決手段】ギター用ストラップ１０は、第２ベルト１７の長さを調節するためのアジャスタ１３を備えている。アジャスタ１３は、ベース３１と、第２ベルト１７の長さを調節するときに操作されるレバー３２と、レバー３２を第１の方向に回動するように付勢するトーションバネ３８とを備えている。第２ベルト１７は、トーションバネ３８の付勢力によりベース３１とレバー３２とによって挟持される。また、第２ベルト１７は、トーションバネの付勢力に抗してレバー３２を第１の方向と異なる第２の方向に回動させると、ベース３１及びレバー３２により挟持された状態から解除される。【選択図】図２
2010085423.tif 000002
【特許請求の範囲】
【請求項１】
ストラップベルトと、前記ストラップベルトの長さを調節するためのアジャスタとを備えた楽器用ストラップであって、
前記アジャスタは、ベースと、前記ベースに対し回動可能に取り付けられ、前記ストラップベルトの長さを調節するときに操作されるレバーと、前記ベースと前記レバーとの間に設けられ、前記レバーを第１の方向に回動するように付勢する付勢手段とを備え、
前記ストラップベルトは、前記付勢手段の付勢力により前記ベースと前記レバーとによって挟持されると共に、前記付勢手段の付勢力に抗して前記レバーを前記第１の方向と異なる第２の方向に回動させることにより、前記ベース及び前記レバーにより挟持された状態から解除されることを特徴とする楽器用ストラップ。
【請求項２】
請求項１記載の楽器用ストラップにおいて、
前記アジャスタは、前記ストラップベルトとの間に生じる滑りを防止するための滑り防止手段を備えていることを特徴とする楽器用ストラップ。
【請求項３】
請求項２記載の楽器用ストラップにおいて、
前記滑り防止手段は複数の突起からなり、前記突起は、前記ベース及び前記レバーの少なくとも一方において前記ストラップベルトを挟持する面に設けられていることを特徴とする楽器用ストラップ。
【請求項４】
請求項１〜３のうちいずれか一項に記載の楽器用ストラップにおいて、
前記楽器のボディは、前記ストラップベルトの両端が装着される一対の端部を有し、前記アジャスタは、前記ボディの両端部のうちのいずれか一方の端部付近に設けられていることを特徴とする楽器用ストラップ。
【請求項５】
請求項４記載の楽器用ストラップにおいて、
前記アジャスタは、前記ボディとの接触による衝撃を緩和するための衝撃緩和部材を備えていることを特徴とする楽器用ストラップ。
【請求項６】
請求項１〜５のうちいずれか一項に記載の楽器用ストラップにおいて、
前記付勢手段は、一対のアーム部を有するトーションバネであり、前記ベース及び前記レバーの少なくともいずれか一方には、前記トーションバネのアーム部を係止するための係止凹部が設けられていることを特徴とする楽器用ストラップ。
【請求項７】
請求項１〜６のうちいずれか一項に記載の楽器用ストラップにおいて、
前記レバーの一端には、前記レバーの操作時に操作される操作部が設けられ、その操作部を押し下げることにより前記レバーが前記第２の方向に回動することを特徴とする楽器用ストラップ。
【請求項８】
請求項４〜７のうちいずれか一項に記載の楽器用ストラップにおいて、
前記ストラップベルトは、前記ボディの第１端部に装着される第１ベルトと、前記第１ベルトに連結され、前記ボディの第２端部に装着される第２ベルトとから構成され、前記アジャスタは、前記第１又は第２のベルトに取り付けられると共に前記アジャスタが取り付けられたベルトの長さを調節することを特徴とする楽器用ストラップ。
【請求項９】
請求項８記載の楽器用ストラップにおいて、
前記第１ベルトには、前記第１ベルトの長さを調節する第１アジャスタが設けられ、前記第２ベルトには、前記第２ベルトの長さを調節する第２アジャスタが設けられていることを特徴とする楽器用ストラップ。
【請求項１０】
請求項９記載の楽器用ストラップにおいて、
前記第１アジャスタにより調節できるストラップベルトの長さは、前記第２アジャスタにより調節できるストラップベルトの長さとは異なることを特徴とする楽器用ストラップ。
【請求項１１】
請求項９又は１０記載の楽器用ストラップを用いたストラップベルトの長さ調節方法であって、
前記楽器を演奏者の肩に掛ける前に、前記第１アジャスタを用いて前記第１ベルトの長さを調節することにより前記ストラップベルトの長さを調節するステップと、
前記第１ベルトの長さを調節した後、前記楽器を演奏者の肩に掛けた状態で、前記第２アジャスタを用いて前記第２ベルトの長さを調節することにより前記ストラップベルトの長さを微調節するステップと
を備えることを特徴とするストラップベルトの長さ調節方法。
【発明の詳細な説明】
【技術分野】
【０００１】
本発明は、楽器用ストラップ及びストラップベルトの長さ調節方法に関する。
【背景技術】
【０００２】
この種の楽器用ストラップは、ギターやキーボードなどの楽器を演奏者の肩に掛けて演奏するために用いられる。例えば、特許文献１に開示されるように、ギター用ストラップ（以下、ストラップと称す）は、ナイロン製や皮製のストラップベルトと、ストラップベルトの長さを調節するアジャスタと、ストラップベルトの両端に設けられ、ギターのボディに着脱される一対のストラップコネクタとを備えている。
【０００３】
演奏者は、ギターを肩に掛ける前に、アジャスタを用いてストラップベルトの長さを調節する。そして、演奏者は、ギターを肩に掛けて、ストラップベルトの長さが適切であるか否かを確認する。多くの場合、演奏者は、ギターを最も演奏し易い位置に配置できるまで、ストラップベルトの長さの微調節を繰り返す。このように、ストラップベルトの長さの調節は、演奏者にとって、細心の注意を要するデリケートな作業の一つである。
【特許文献１】特開２００１−８３９６２号公報
【発明の開示】
【発明が解決しようとする課題】
【０００４】
しかしながら、従来のストラップでは、ギターを肩に掛けた状態でストラップベルトの長さを調節することができない。このため、演奏者は、ストラップベルトの長さを調節するためギターを肩から下ろしたり、ストラップベルトの長さの確認のためギターを肩に掛けたりするといった動作を繰り返していた。こうした一連の動作は、演奏者にとって、非常に効率が悪く、かつ面倒な作業であった。
【０００５】
本発明は、このような問題に鑑みてなされたものであり、その目的は、ギターを肩に掛けた状態でストラップベルトの長さを調節することのできる楽器用ストラップ及びストラップベルトの長さ調節方法を提供することにある。
【課題を解決するための手段】
【０００６】
上記の目的を達成するために、請求項１に記載の発明は、ストラップベルトと、ストラップベルトの長さを調節するためのアジャスタとを備えた楽器用ストラップであって、アジャスタは、ベースと、ベースに対し回動可能に取り付けられ、ストラップベルトの長さを調節するときに操作されるレバーと、ベースとレバーとの間に設けられ、レバーを第１の方向に回動するように付勢する付勢手段とを備え、ストラップベルトは、付勢手段の付勢力によりベースとレバーとによって挟持されると共に、付勢手段の付勢力に抗してレバーを第１の方向と異なる第２の方向に回動させることにより、ベース及びレバーにより挟持された状態から解除されることを要旨とする。
【０００７】
この構成によれば、レバーを操作して第２の方向に回動させることにより、ストラップベルトは、ベース及びレバーにより挟持された状態から解除される。これにより、ストラップベルトの長さを調節することが可能になる。ストラップベルトの長さを調節した後はレバーを操作しないため、ストラップベルトは、付勢手段の付勢力によりベースとレバーとによって挟持される。これにより、調節後のストラップベルトの長さを固定することができる。こうした一連の動作をレバーの操作により簡単に行えるため、演奏者は、楽器を肩に掛けた状態でストラップベルトの長さを調節することができる。
【０００８】
請求項２に記載の発明は、請求項１記載の発明において、アジャスタは、ストラップベルトとの間に生じる滑りを防止するための滑り防止手段を備えていることを要旨とする。
この構成によれば、ストラップベルトを、付勢手段の付勢力によりベースとレバーとによって挟持することに加え、滑り防止手段によりアジャスタに対し滑らないように保持することもできる。これにより、楽器の自重によりストラップベルトが下方に引っ張られても、調節後のストラップベルトの長さをより確実に固定することができる。
【０００９】
請求項３に記載の発明は、請求項２記載の発明において、滑り防止手段は複数の突起からなり、突起は、ベース及びレバーの少なくとも一方においてストラップベルトを挟持する面に設けられていることを要旨とする。
【００１０】
この構成によれば、アジャスタベース及びレバーの少なくとも一方に設けられた複数の突起をストラップベルトに突き刺すことにより、ストラップベルトをアジャスタに対し滑らないように保持することができる。
【００１１】
請求項４に記載の発明は、請求項１〜３のうちいずれか一項に記載の発明において、楽器のボディは、ストラップベルトの両端が装着される一対の端部を有し、アジャスタは、ボディの両端部のうちのいずれか一方の端部付近に設けられていることを要旨とする。
【００１２】
この構成によれば、楽器のボディの端部付近にアジャスタが配置されることで、演奏者の手により、アジャスタのレバーを容易に操作することができる。よって、アジャスタの操作性が向上するため、演奏者は、楽器を肩に掛けた状態でストラップベルトの長さを容易に調節することができる。
【００１３】
請求項５に記載の発明は、請求項４記載の発明において、アジャスタは、ボディとの接触による衝撃を緩和するための衝撃緩和部材を備えていることを要旨とする。
楽器のボディ付近にアジャスタが配置されている場合、演奏者が動きながら演奏するときに、アジャスタがボディに接触して、ボディの表面に傷を付けてしまうことがある。この構成によれば、衝撃緩和部材によって、アジャスタがボディに接触してもその接触による衝撃が緩和されるため、ボディの表面に傷を付けないようにすることができる。
【００１４】
請求項６に記載の発明は、請求項１〜５のうちいずれか一項に記載の発明において、付勢手段は、一対のアーム部を有するトーションバネであり、ベース及びレバーの少なくともいずれか一方には、トーションバネのアーム部を係止するための係止凹部が設けられていることを要旨とする。
【００１５】
この構成によれば、係止凹部により、トーションバネのアーム部をベース及びレバーの少なくとも一方に係止させることができる。これにより、トーションバネの付勢力を、ベースとレバーとに確実に付与することができる。よって、強い付勢力により、ストラップベルトをベースとレバーとによって挟持することができる。従って、調節後のストラップベルトの長さをより確実に固定することができる。
【００１６】
請求項７に記載の発明は、請求項１〜６のうちいずれか一項に記載の発明において、レバーの一端には、レバーの操作時に操作される操作部が設けられ、その操作部を押し下げることによりレバーが第２の方向に回動することを要旨とする。
【００１７】
この構成によれば、操作部を押し下げることでレバーが第２の方向に回動し、ストラップベルトがベース及びレバーにより挟持された状態から解除される。つまり、レバーを押し下げるだけで、ストラップベルトの長さを調節することが可能になる。よって、アジャスタの操作性が一層向上する。
【００１８】
請求項８に記載の発明は、請求項４〜７のうちいずれか一項に記載の発明において、ストラップベルトは、ボディの第１端部に装着される第１ベルトと、第１ベルトに連結され、ボディの第２端部に装着される第２ベルトとから構成され、アジャスタは、第１又は第２のベルトに取り付けられると共にアジャスタが取り付けられたベルトの長さを調節することを要旨とする。
【００１９】
この構成によれば、アジャスタを用いることで、ストラップベルトを構成する第１及び第２ベルトのうちの一方のみを調節することができる。これにより、ストラップベルトの長さを部分的に調節することができる。よって、アジャスタを用いることで、ストラップベルトの長さを微調節することができる。
【００２０】
請求項９に記載の発明は、請求項８記載の発明において、第１ベルトには、第１ベルトの長さを調節する第１アジャスタが設けられ、第２ベルトには、第２ベルトの長さを調節する第２アジャスタが設けられていることを要旨とする。
【００２１】
この構成によれば、第１及び第２アジャスタを用いて対応するベルトの長さをそれぞれ調節することができる。これにより、第１アジャスタを用いて調節できるストラップベルトの長さと、第２アジャスタを用いて調節できるストラップベルトの長さとを、必要に応じて所望の長さにそれぞれ設定することができる。
【００２２】
請求項１０に記載の発明は、請求項９記載の発明において、第１アジャスタにより調節できるストラップベルトの長さは、第２アジャスタにより調節できるストラップベルトの長さとは異なることを要旨とする。
【００２３】
この構成によれば、ストラップベルトの長さを調節する際にその目的を使い分けて第１及び第２アジャスタをそれぞれ操作することができる。
請求項１１に記載の発明は、請求項９又は１０記載の楽器用ストラップを用いたストラップベルトの長さ調節方法であって、楽器を演奏者の肩に掛ける前に、第１アジャスタを用いて第１ベルトの長さを調節することによりストラップベルトの長さを調節するステップと、第１ベルトの長さを調節した後、楽器を演奏者の肩に掛けた状態で、第２アジャスタを用いて第２ベルトの長さを調節することによりストラップベルトの長さを微調節するステップとを備えることを要旨とする。
【００２４】
この構成によれば、演奏者は、楽器を肩に掛ける前に、第１アジャスタを用いて第１ベルトの長さを調節する。このとき、演奏者は、ストラップベルトの長さを大まかに調節する。次に、演奏者は、楽器を肩に掛けた状態で、アジャスタを用いて第２ベルトの長さを調節する。このとき、演奏者は、楽器を最も演奏し易い位置に配置できるまで、第２ベルトの長さを調節することによりストラップベルトの長さを微調節する。こうした一連の操作を通じて、効率良く、かつ適切にストラップベルトの長さを調節することができる。
【発明の効果】
【００２５】
本発明によれば、楽器を肩に掛けた状態でストラップベルトの長さを調節することのできる楽器用ストラップ及びストラップベルトの長さ調節方法を提供することができる。
【発明を実施するための最良の形態】
【００２６】
以下、本発明の楽器用ストラップをギター用ストラップに具体化した一実施形態について、図１〜図７を参照して説明する。
図１及び図２に示すように、ギター用ストラップ（以下、ストラップと称す）１０は、ストラップベルト１１と、ストラップベルト１１の両端に設けられた一対のストラップコネクタ（以下、コネクタと称す）１２とを備えている。一方、ギター１のボディ２は、ヘッド３に近い第１端部２ａと第１端部２ａの反対側に位置する第２端部２ｂとにコネクタピン４をそれぞれ有している。ストラップ１０は、各コネクタ１２の中央に、ギター１のコネクタピン４を挿通するための挿通孔１２ａをそれぞれ有している。ストラップ１０は、コネクタ１２及びコネクタピン４を介して、ギター１のボディ２の両端部に装着される。
【００２７】
ストラップベルト１１は、２つの独立した第１及び第２ベルト１６，１７と、両ベルト１６，１７を連結する連結部材１８とを備えている。第１及び第２ベルト１６，１７は、ナイロンやポリプロピレンなどの樹脂素材、又は布や皮革等の繊維素材により形成されている。また、連結部材１８は、ポリカーボネート等の樹脂や金属等のような剛性の高い材料により形成されている。連結部材１８には、長さの異なる２つのスリット１８ａ，１８ｂが形成されている。長い方のスリット１８ａには第１ベルト１６の端部が連結され、短い方のスリット１８ｂには第２ベルト１７が連結されている。
【００２８】
第１ベルト１６には、第１ベルト１６の長さを調節する第１アジャスタとしての調節具２０と、コネクタ１２との連結に用いられるリング１９とが取り付けられている。調節具２０は、ポリカーボネート等の樹脂や金属等のような剛性の高い材料からなる。調節具２０は、略長方形状に形成されている。調節具２０には、調節具２０の長手方向に沿って延びる２つのスリット２０ａ，２０ｂが形成されている。
【００２９】
第１ベルト１６は、調節具２０の両スリット２０ａ，２０ｂ及びリング１９に通されて、それらに対しスライド移動可能に支持されている。第１ベルト１６の一方の端部は、連結部材１８のスリット１８ａに通されて、第１ベルト１６の他の部分に縫合されている。また、第１ベルト１６の他方の端部は、調節具２０の両スリット２０ａ，２０ｂ間の部分に巻き付けられて、第１ベルト１６の他の部分に縫合されている。こうして、第１ベルト１６は、各端部を連結部材１８と調節具２０とにそれぞれ連結した状態で、調節具２０及びリング１９に対しスライド移動可能に組み付けられている。第１ベルト１６は、調節具２０とリング１９との間においてループ状に、即ち第１ベルト１６の一部を他の部分と重複させるように形成されている。
【００３０】
調節具２０を第１ベルト１６に沿ってスライド移動させると、第１ベルト１６の重複部分の長さが変更される。これにより、第１ベルト１６の長さが変更されるため、ストラップベルト１１の長さも変更される。詳しくは、調節具２０をスライド移動させてリング１９に接近させると、第１ベルト１６の重複部分の長さは短くなり、その分、第１ベルト１６は長くなる。一方、調節具２０をスライド移動させて連結部材１８に接近させると、第１ベルト１６の重複部分は長くなり、その分、第１ベルト１６の長さが短くなる。このような調節具２０の操作を通じて、第１ベルト１６をその全長と略同じ長さにまで長くすることができ、第１ベルト１６の長さの略半分にまで短くすることができる。
【００３１】
第２ベルト１７には、第２ベルト１７の長さを調節する第２アジャスタとしてのアジャスタ１３が取り付けられている。アジャスタ１３は、ギター１のボディ２の第２端部２ｂ付近に取り付けられている。図３〜図６に示すように、アジャスタ１３は、ベース３１、レバー３２、及び付勢手段としてのトーションバネ３８を備えている。ベース３１は、長方形状の底壁３１ａと、底壁３１ａの両側部から延びると共に略三角形状をなす一対の側壁３１ｂとを備えている。ベース３１の底壁３１ａには、ベース３１の幅方向に沿って延びる２つの長孔３１ｃ，３１ｄが形成されている。底壁３１ａの端部に近接する長孔３１ｃの幅は、底壁３１ａの中央に位置する長孔３１ｄよりも小さく設定されている。ベース３１の底壁３１ａの外面には、四角形状のゴム板からなる衝撃緩和部材３３が設けられている。衝撃緩和部材３３は、アジャスタ１３とギター１のボディ２との接触による衝撃を緩和するために設けられている。
【００３２】
レバー３２は、ベース３１の内面を覆うカバー部３４と、第２ベルト１７をベース３１の底壁３１ａに押し付ける押さえ部３５とを備えている。また、カバー部３４には、ベース３１に取り付けられる取付部３４ａと、第２ベルト１７の長さの調節時に操作される操作部３４ｂとが設けられている。取付部３４ａの両側縁には、ベース３１の底壁３１ａに向けて延びると共に略三角形状をなす一対の側壁３４ｃが設けられている。レバー３２は、取付部３４ａの両側壁３４ｃの外面をベース３１の両側壁３１ｂの内面に向けて配置されている。レバー３２は、取付部３４ａの両側壁３４ｃを貫通するシャフト３６を介して、ベース３１の両側壁３１ｂに対し回動可能に取り付けられている。操作部３４ｂには、レバー３２の幅方向に沿って延びる複数本の突条３４ｄが形成されている。突条３４ｄは、手でレバー３２を操作するときに滑らないようにするために設けられている。
【００３３】
押さえ部３５は、カバー部３４の先端からベース３１の底壁３１ａに向けて延びている。押さえ部３５の先端は、ベース３１の中央にある長孔３１ｄと対応する位置に設けられている。押さえ部３５の中央には、ベース３１の底壁３１ａに沿って突出する突出部３５ａが設けられている。突出部３５ａは、レバー３２の幅方向に沿って、かつレバー３２の全幅に亘って延びている。突出部３５ａには、レバー３２と第２ベルト１７との間に生じる滑りを防止する滑り防止手段が設けられている。この滑り防止手段は、ベース３１の底壁３１ａと対向する突出部３５ａの裏面に設けられた複数の突起３７からなる。突起３７は、先端に向かうほど縮径するようテーパ状に形成されている。複数の突起３７は、突出部３５ａの裏面の全体に亘って形成されている。
【００３４】
トーションバネ３８は、ベース３１とレバー３２との間に設けられている。トーションバネ３８は、コイル部３８ａと、コイル部３８ａの両端から延びる一対のアーム部３８ｂとを備えている。トーションバネ３８は、コイル部３８ａの中央にシャフト３６を挿通させると共に、一対のアーム部３８ｂを介してベース３１とレバー３２との間に支持されている。トーションバネ３８の一方のアーム部３８ｂは、ベース３１の両側壁３１ｂ間を連絡する支持棒３９によって支持されている。また、トーションバネ３８の他方のアーム部３８ｂは、レバー３２の内面に形成された係止凹部４０に係止されている。係止凹部４０は、レバー３２の内面から突出した２つの突部４１の間に形成されている。
【００３５】
トーションバネ３８は、シャフト３６、支持棒３９、及びレバー３２の内面によって、所定の大きさの付勢力を蓄えた状態で支持されている。この状態で、レバー３２は、トーションバネ３８の付勢力により、ベース３１に対し第１の方向（図５に示す矢印方向）に回動するように常に付勢されている。ここで、第１の方向とは、レバー３２の押さえ部３５をベース３１の底壁３１ａに押し付ける方向を意味する。
【００３６】
図２〜図４に示すように、第２ベルト１７は、上記アジャスタ１３の内部及び連結部材１８のスリット１８ｂに通されて、それらに対しスライド移動可能に支持されている。第２ベルト１７の一方の端部は、ベース３１の長孔３１ｃに通されて、第２ベルト１７の他の部分に縫合されている。第２ベルト１７の他方の端部には、ボディ２の第２端部２ｂに装着されるコネクタ１２が縫合されている。こうして、第２ベルト１７は、一方の端部をアジャスタ１３に連結した状態で、アジャスタ１３及び連結部材１８に対しスライド移動可能に組み付けられている。第２ベルト１７は、アジャスタ１３と連結部材１８との間においてループ状に、即ち、第２ベルト１７の一部を他の部分と重複させるように形成されている。
【００３７】
レバー３２を操作しないとき、第２ベルト１７は、図７（ａ）に示すように、トーションバネ３８の付勢力により、ベース３１の底壁３１ａとレバー３２の押さえ部３５とによって挟持されている。このとき、レバー３２の押さえ部３５により、第２ベルト１７がベース３１の底壁３１ａに押し付けられている。また、このとき、第２ベルト１７には、レバー３２の突出部３５ａに設けられた複数の突起３７が突き刺さっている。これらにより、第２ベルト１７は、アジャスタ１３に対しスライド移動不能に保持されている。
【００３８】
レバー３２の操作部３４ｂを押し下げることで、レバー３２は、図７（ｂ）に示すように、トーションバネ３８の付勢力に抗して、シャフト３６を中心に第２の方向（図７（ｂ）に示す矢印方向）に回動する。これにより、レバー３２の押さえ部３５がベース３１の底壁３１ａから離れるため、レバー３２の複数の突起３７が第２ベルト１７から外れる。こうして、第２ベルト１７は、ベース３１及びレバー３２によって挟持された状態から解除される。そして、第２ベルト１７は、アジャスタ１３に対してスライド移動可能となる。ここで、第２の方向とは、前記第１の方向と逆方向を指し、レバー３２の押さえ部３５をベース３１の底壁３１ａから引き離す方向を意味する。
【００３９】
第１ベルト１６の場合と同様に、第２ベルト１７はその全長さと略同じ長さにまで長くすることができ、第２ベルト１７の長さの略半分にまで短くすることができる。第２ベルト１７の長さは、第１ベルト１６の長さよりも短く設定されており、詳しくは、第１ベルト１６の長さの１／４以上１／２未満に設定されている。そのため、アジャスタ１３を用いて調節できる第２ベルト１７の長さは、調節具２０を用いて調節できる第１ベルト１６の長さよりも短く設定されており、詳しくは、調節具２０を用いて調節できる第１ベルト１６の長さの１／４以上１／２未満に設定されている。
【００４０】
次に、上記のストラップ１０を用いたストラップベルト１１の長さ調節方法について、図１及び図７（ａ），（ｂ）を参照して詳細に説明する。
まず、演奏者は、ギター１を肩に掛ける前に、調節具２０を用いて第１ベルト１６の長さを調節する。このとき、第１ベルト１６の長さを調節することで、ストラップベルト１１全体の長さを大まかに調節する。第１ベルト１６の長さを調節した後、演奏者は、ギター１を肩に掛けることにより、ストラップベルト１１の長さが適切であるか否かを確認する。そして、演奏者は、ギター１を肩に掛けた状態で、アジャスタ１３を用いて第２ベルト１７の長さを調節する。このとき、演奏者は、ギター１を最も演奏し易い位置に配置できるまで、アジャスタ１３を操作して第２ベルト１７の長さを調節し、ストラップベルト１１の長さを微調節する。
【００４１】
その際、演奏者は、図７（ｂ）に示すように、手でレバー３２の操作部３４ｂを押し下げる。すると、レバー３２は、シャフト３６を中心として第２の方向（図７（ｂ）に示す矢印方向）に回動する。これにより、レバー３２の押さえ部３５がベース３１の底壁３１ａから離れるため、第２ベルト１７は、ベース３１及びレバー３２によって挟持された状態から解除される。その結果、第２ベルト１７は、アジャスタ１３に対してスライド移動可能となる。こうして、演奏者は、手でレバー３２の操作部３４ｂを押し下げたまま、第２ベルト１７の長さを調節し、ストラップベルト１１の長さを調節する。一方、レバー３２の操作部３４ｂから手を離すと、レバー３２は、トーションバネ３８の付勢力により、シャフト３６を中心に第１の方向（図７（ａ）に示す矢印方向）に回動する。そして、レバー３２の押さえ部３５により、第２ベルト１７が、ベース３１の底壁３１ａに対して押し付けられる。これにより、第２ベルト１７がベース３１及びレバー３２によって挟持されると共に、第２ベルト１７にレバー３２の複数の突起３７が突き刺さる。その結果、第２ベルト１７は、アジャスタ１３に対してスライド移動不能に保持される。こうして、演奏者は、第２ベルト１７の長さを固定して、ストラップベルト１１全体の長さを固定する。
【００４２】
本実施形態によれば、以下のような効果を得ることができる。
（１）アジャスタ１３は、ベース３１と、第２ベルト１７の長さを調節するときに操作されるレバー３２と、レバー３２を第１の方向に回動するように付勢するトーションバネ３８とを備えている。この構成によれば、レバー３２を操作して第２の方向に回動させることにより、第２ベルト１７は、ベース３１及びレバー３２により挟持された状態から解除される。これにより、第２ベルト１７の長さを調節して、ストラップベルト１１全体の長さを調節することが可能になる。第２ベルト１７の長さを調節した後はレバー３２を操作しないため、第２ベルト１７は、トーションバネ３８の付勢力によりベース３１とレバー３２とによって挟持される。これにより、調節後の第２ベルト１７の長さを固定して、ストラップベルト１１全体の長さを固定することができる。こうした一連の動作をレバー３２の操作により簡単に行えるため、演奏者は、ギター１を肩に掛けた状態で、第２ベルト１７の長さを調節して、ストラップベルト１１の長さを調節することができる。
【００４３】
（２）レバー３２の突出部３５ａは、ベース３１の底壁３１ａと対向する面に滑り防止手段としての複数の突起３７を有している。この構成によれば、トーションバネ３８の付勢力によりベース３１とレバー３２とによって第２ベルト１７を挟持することに加え、複数の突起を第２ベルト１７に突き刺すことにより、第２ベルト１７をアジャスタ１３に対し滑らないように保持することができる。これにより、ギター１の自重により第２ベルト１７が下方に引っ張られても、調節後の第２ベルト１７の長さをより確実に固定することができ、ストラップベルト１１の長さをより確実に固定することができる。
【００４４】
（３）アジャスタ１３は、ギター１のヘッド３と反対側に位置するボディの第２端部２ｂ付近に配置されている。このため、演奏者の利き手により、アジャスタ１３のレバー３２を操作することができる。よって、アジャスタ１３の操作性が向上するため、演奏者は、ギター１を肩に掛けた状態で、第２ベルト１７の長さを容易に調節することができ、ストラップベルト１１全体の長さを容易に調節することができる。
【００４５】
（４）ギター１のボディ２付近にアジャスタ１３が配置されている場合、演奏者が動きながら演奏するときに、アジャスタ１３がギター１のボディ２に接触して、ボディ２の表面に傷を付けてしまうことがある。その点、本実施形態によれば、アジャスタ１３は、ギター１との接触による衝撃を緩和するための衝撃緩和部材３３を備えている。この衝撃緩和部材３３によって、アジャスタ１３がギター１に接触してもその接触による衝撃が緩和されるため、ボディ２の表面に傷を付けないようにすることができる。
【００４６】
（５）レバー３２の内面には、係止凹部４０が形成されている。この構成によれば、係止凹部４０により、トーションバネ３８のアーム部３８ｂをレバー３２に係止させることができる。これにより、トーションバネ３８の付勢力を、ベース３１とレバー３２とに確実に付与することができる。よって、より強い付勢力により、第２ベルト１７をベース３１とレバー３２とによって挟持することができる。従って、調節後の第２ベルト１７の長さをより確実に固定することができ、ストラップベルト１１全体の長さをより確実に固定することができる。
【００４７】
（６）レバー３２の一端には、レバー３２の操作時に操作される操作部３４ｂが設けられている。この構成によれば、操作部３４ｂを押し下げることでレバー３２が第２の方向に回動し、第２ベルト１７がベース３１及びレバー３２により挟持された状態から解除される。つまり、レバー３２を押し下げるだけで、第２ベルト１７の長さを調節することができ、ストラップベルト１１全体の長さを調節することが可能になる。よって、アジャスタ１３の操作性が一層向上する。
【００４８】
（７）ストラップベルト１１は、２つの独立した第１及び第２ベルト１６，１７を備えている。また、アジャスタ１３は、第２ベルト１７の長さを変更するために用いられる。この構成によれば、アジャスタ１３を用いることで、ストラップベルト１１を構成する第２ベルト１７のみを調節することができる。これにより、ストラップベルト１１の長さを部分的に調節することができる。よって、アジャスタ１３を用いることで、第２ベルト１７の長さを調節して、ストラップベルト１１全体の長さを微調節することができる。
（８）第１ベルト１６には、アジャスタ１３とは別に、第１アジャスタとしての調節具２０が取り付けられている。この構成によれば、調節具２０を用いて第１ベルト１６の長さを調節すると共に、第２アジャスタとしてのアジャスタ１３を用いて第２ベルト１７の長さを調節することができる。これにより、調節具２０を用いて調節できる第１ベルト１６の長さと、アジャスタ１３を用いて調節できる第２ベルト１７の長さとを、必要に応じて所望の長さにそれぞれ設定することができる。
（９）アジャスタ１３を用いて調節できる第２ベルト１７の長さは、調節具２０を用いて調節できる第１ベルト１６の長さよりも短く設定されている。この構成によれば、ストラップベルト１１の長さを大まかに調節するために調節具２０を用い、ストラップベルト１１の長さを微調節するためにアジャスタ１３を用いることができる。つまり、ストラップベルト１１の長さを調節する際にその目的を使い分けて調節具２０及びアジャスタ１３をそれぞれ操作することができる。
（１０）本実施形態によるストラップベルト１１の長さ調節方法によれば、演奏者は、ギター１を肩に掛ける前に、調節具２０を用いて第１ベルト１６の長さを調節する。このとき、演奏者は、ストラップベルト１１の長さを大まかに調節する。次に、演奏者は、ギター１を肩に掛けた状態で、アジャスタ１３を用いて第２ベルト１７の長さを調節する。このとき、演奏者は、ギターを最も演奏し易い位置に配置できるまで、第２ベルト１７の長さを調節することによりストラップベルト１１の長さを微調節する。こうした一連の操作を通じて、効率良く、かつ適切にストラップベルト１１の長さを調節することができる。
【００４９】
なお、上記実施形態は以下のように変更してもよい。
・本実施形態において、ストラップベルト１１から第１ベルト１６を省略してもよい。つまり、ギター用ストラップ１０を、アジャスタ１３を備えた第２ベルト１７のみによって構成してもよい。
【００５０】
・本実施形態において、第２ベルト１７からアジャスタ１３を省略し、また第１ベルト１６から調節具２０を省略する代わりに、第１ベルト１６にアジャスタ１３を取り付けてもよい。また、第１及び第２ベルト１６，１７の両方にアジャスタ１３をそれぞれ取り付けてもよい。
【００５１】
・本実施形態において、レバー３２の突出部３５ａに設けられた突起３７を省略してもよい。また、レバー３２から突起３７を省略する代わりに、ベース３１の底壁３１ａの内面に突起３７を設けてもよい。つまり、ベース３１及びレバー３２のいずれか一方であって第２ベルト１７を挟持する面に突起３７を設ければよい。また、レバー３２の突出部３５ａ及びベース３１の底壁３１ａの内面の両方に突起３７を設けてもよい。
【００５２】
・本実施形態において、滑り防止手段は、テーパ状の突起以外にも、例えば、円柱状の突起、レバー３２の幅方向に沿って延びる突条、又は表面粗さの大きい凹凸面などであってもよい。
【００５３】
・本実施形態において、ベース３１から衝撃緩和部材３３を省略してもよい。また、衝撃緩和部材３３は、ゴム板以外にも、例えば、スポンジやフェルトなどの弾性素材であってもよい。
【００５４】
・本実施形態において、トーションバネ３８に代えて、圧縮コイルばねを用いてもよい。この場合、圧縮コイルバネは、レバー３２又はベース３１の内面に圧縮された状態で固定されている。
【００５５】
・本実施形態において、レバー３２の操作部３４ｂから突条３４ｄを省略してもよい。また、突条３４ｄに代えて、操作部３４ｂに複数の突起を設けたり、操作部３４ｂの表面粗さを他の部分よりも粗くしたりしてもよい。
【００５６】
また、図８（ａ），（ｂ）に示すように、トーションバネ３８と反対側に位置するレバー８２の端部に操作部８２ａを形成してもよい。この場合、レバー８２の操作部８２ａを図８（ｂ）に示す矢印方向に引き上げることにより、第２ベルト１７を、ベース３１及びレバー３２により挟持された状態から解除することができる。
【００５７】
・本実施形態において、アジャスタ１３により調節できる第２ベルト１７の長さは、調節具２０により調節できる第１ベルト１６の長さと同じかそれよりも長くてもよい。
・本発明は、ギター用ストラップ以外にも、例えば、ベースやキーボードなど、肩に掛けた状態で演奏できる楽器用ストラップに適用してもよい。
【図面の簡単な説明】
【００５８】
【図１】本発明の一実施形態に係るギター用ストラップがギターに装着された状態を示す正面図。
【図２】ギター用ストラップの斜視図。
【図３】ギター用ストラップのアジャスタ付近を表側から見た拡大斜視図。
【図４】ギター用ストラップのアジャスタ付近を裏側から見た拡大斜視図。
【図５】アジャスタの内部構造を示す縦断面図。
【図６】アジャスタの内部構造を示す端面図。
【図７】（ａ）はアジャスタによりストラップベルトが保持されている状態を示す縦断面図、（ｂ）はアジャスタに対するストラップベルトの保持が解除されている状態を示す縦断面図。
【図８】（ａ）は別例のアジャスタによりストラップベルトが保持されている状態を示す縦断面図、（ｂ）は別例のアジャスタに対するストラップベルトの保持が解除されている状態を示す縦断面図。
【符号の説明】
【００５９】
１…ギター（楽器）、２…ボディ、２ａ…第１端部、２ｂ…第２端部、１０…ストラップ（ギター用ストラップ）、１１…ストラップベルト、１３…アジャスタ、１６…第１ベルト、１７…第２ベルト、２０…調節具、３１…ベース、３２…レバー、３３…衝撃緩和部材、３４ｂ…操作部、３７…突起（滑り防止手段）、３８…トーションバネ（付勢手段）、３８ｂ…アーム部、４０…係止凹部。
【図１】
2010085423.tif 000003
【図２】
2010085423.tif 000004
【図３】
2010085423.tif 000005
【図４】
2010085423.tif 000006
【図５】
2010085423.tif 000007
【図６】
2010085423.tif 000008
【図７】
2010085423.tif 000009
【図８】
2010085423.tif 000010